(57)【要約】【課題】細部の形状をシャープに形成でき、表面が滑らかに形成され、透明材料の使用に好適であり、また、吐出液の量、吐出速度のコントロールが容易に行えて、しかも構造が簡単で容易に製造でき、また、安価に提供できる塗布容器を提案する。【解決手段】一部を蛇腹９に形成した周壁２の上端縁より、吐出孔８を開口した頂壁３を延設してなる本体部A1と、本体部の下端に装着した底蓋A2とからなる容器体Ａを備え、蛇腹上方の容器体外周に上端部を固定し、下端を容器体の押し込みが可能な状態で垂設したカバー筒Ｂを備えている。そして、本体部を射出成形により一体に形成している。【選択図】図１
2009132423.tif 000002
【特許請求の範囲】
【請求項１】
一部を蛇腹９に形成した周壁２の上端縁より、吐出孔８を開口した頂壁３を延設してなる本体部A1と、本体部A1の下端に装着した底蓋A2とからなる容器体Ａを備え、蛇腹９上方の容器体Ａ外周に上端部を固定し、下端を容器体Ａの押し込みが可能な状態で垂設したカバー筒Ｂを備え、本体部A1を射出成形により一体に形成したことを特徴とする塗布容器。
【請求項２】
容器体Ａ内上部に張設した柔軟で弾力性に富む材質で形成された遮蔽壁Ｄにスリット60を設けてなる請求項１記載の塗布容器。
【請求項３】
カバー筒Ｂの下端を容器体下端位置まで垂下し、カバー筒Ｂ下端縁に押し込み用の切欠部42を設けてなる請求項１又は請求項２のいずれかに記載の塗布容器。
【請求項４】
容器体Ａの蛇腹９形成位置に穿設した環状窓10に、カバー筒Ｂに穿設した嵌合孔43を介して着脱可能に嵌合させたストッパーＥを設けてなる請求項１又は請求項２のいずれかに記載の塗布容器。
【請求項５】
上記ストッパーＥを、嵌合孔43を介して環状窓10に嵌合させた嵌合部70と、嵌合部70の両側よりそれぞれ延設して容器体Ａ外面に嵌合させた腕板部71と、嵌合部70の上面或いは下面の外側縁部より突設してカバー筒Ｂ外面に当接係止させた係止板部72とで構成した請求項３記載の塗布容器。
【請求項６】
蛇腹９の収縮を防止する係止位置から蛇腹９の収縮が可能な係止解除位置までの可逆的な移動が可能にカバー筒Ｂに嵌合させたストッパーＥを設けてなる請求項１又は請求項２のいずれかに記載の塗布容器。
【請求項７】
上記ストッパーＥを、カバー筒Ｂに穿設した水平方向に延びるスライド溝44にスライド可能に嵌合させ、且つ、内側下面を蛇腹９部分外方の上向き段部16に当接係止させたロック状態から、スライド溝44をスライドさせた後、上向き段部16に穿設した係止溝17対応位置であるロック開放状態への可逆的な移動が可能に構成した請求項６記載の塗布容器。
【発明の詳細な説明】
【技術分野】
【０００１】
本発明は塗布容器に関する。
【背景技術】
【０００２】
塗布容器として、収容液を吐出して頂部で引き延ばす如く構成したものが種々提案されている。（例えば、特許文献１参照）
【０００３】
上記塗布容器は、内部上部にシリンダ筒を備えるとともに、シリンダ筒内の頂部に吐出口を開口し、また、周壁下部に傾斜上昇する切溝を穿設した容器体と、シリンダ筒内周に摺動上昇可能に周縁部を嵌合させた可動底壁と、容器体外周下部に回動可能に嵌合させるとともに、切溝を摺動上昇する連結桟を介して可動底壁と連動させた操作筒とを備え、回動筒を回動させることにより可動底壁を回動上昇させて収納液を吐出口より吐出する如く構成している。
【特許文献１】特開２００３−２２６３７３号公報
【発明の開示】
【発明が解決しようとする課題】
【０００４】
上記塗布容器は、可動底壁を比較的弱い力で上昇させることができ、吐出液の量，吐出速度のコントロールが容易な優れたものである。但し、構造が複雑な点に改良の余地がある。
【０００５】
本発明は上記した点に鑑みてなされたもので、吐出液の量，吐出速度のコントロールが容易に行えてしかも構造が簡単で容易に製造でき、また、細部の形状をシャープに形成できて結合部分の結合強度が大きくガタツキがなく、また、表面を滑らかに形成することができ、透明材料の使用に好適であり、しかも安価に提供できる塗布容器を提案する。
【課題を解決するための手段】
【０００６】
第１の手段として、以下の通り構成した。即ち、一部を蛇腹９に形成した周壁２の上端縁より、吐出孔８を開口した頂壁３を延設してなる本体部A1と、本体部A1の下端に装着した底蓋A2とからなる容器体Ａを備え、蛇腹９上方の容器体Ａ外周に上端部を固定し、下端を容器体Ａの押し込みが可能な状態で垂設したカバー筒Ｂを備え、本体部A1を射出成形により一体に形成した。
【０００７】
第２の手段として、以下の通り構成した。即ち、前記第１の手段に於いて、容器体Ａ内上部に張設した柔軟で弾力性に富む材質で形成された遮蔽壁Ｄにスリット60を設けた。
【０００８】
第３の手段として、以下の通り構成した。即ち、前記第１の手段又は第２の手段のいずれかの手段に於いて、カバー筒Ｂの下端を容器体下端位置まで垂下し、カバー筒Ｂ下端縁に押し込み用の切欠部42を設けた。
【０００９】
第４の手段として、以下の通り構成した。即ち、前記第１の手段又は第２の手段のいずれかの手段に於いて、容器体Ａの蛇腹９形成位置に穿設した環状窓10に、カバー筒Ｂに穿設した嵌合孔43を介して着脱可能に嵌合させたストッパーＥを設けた。
【００１０】
第５の手段として、以下の通り構成した。即ち、前記第３の手段に於いて、上記ストッパーＥを、嵌合孔43を介して環状窓10に嵌合させた嵌合部70と、嵌合部70の両側よりそれぞれ延設して容器体Ａ外面に嵌合させた腕板部71と、嵌合部70の上面或いは下面の外側縁部より突設してカバー筒Ｂ外面に当接係止させた係止板部72とで構成した。
【００１１】
第６の手段として、以下の通り構成した。即ち、前記第１の手段又は第２の手段のいずれかの手段に於いて、蛇腹９の収縮を防止する係止位置から蛇腹９の収縮が可能な係止解除位置までの可逆的な移動が可能にカバー筒Ｂに嵌合させたストッパーＥを設けた。
【００１２】
第７の手段として、以下の通り構成した。即ち、前記第６の手段に於いて、上記ストッパーＥを、カバー筒Ｂに穿設した水平方向に延びるスライド溝44にスライド可能に嵌合させ、且つ、内側下面を蛇腹９部分外方の上向き段部16に当接係止させたロック状態から、スライド溝44をスライドさせた後、上向き段部16に穿設した係止溝17対応位置であるロック開放状態への可逆的な移動が可能に構成した。
【発明の効果】
【００１３】
本発明の塗布容器１は、容器体Ａの本体部A1を射出成形により一体に形成しているため、蛇腹９をシャープな形状で均一な肉厚で形成でき、或いはインサートにより蛇腹９の部分のみを別材質で形成して蛇腹としての機能を充分保持する一体成形が可能である。しかも、容器体Ａ表面の塗布液の引き延ばし部分を凹凸の少ない滑らかな表面に形成でき、一方細部の凹凸形状にはシャープな形状を形成でき、カバー筒Ｂの確実なガタツキの無い固定が可能である。また、透明材料の使用に好適である利点も兼ね備えている。また、容器体Ａ底部を押し込むという簡単な操作により液の吐出を行え、吐出した液は頂部表面で引き延ばすことができて使い勝手が良い。また、容器体Ａ底部を押し込むことで収容液の吐出を行えるため、手の感触で吐出量，吐出速度等をコントロールできる利点がある。更に、構造も簡単で安価に製造できる利点も兼ね備えている。
【００１４】
また、容器体Ａ内上部に張設した柔軟で弾力性に富む材質で形成された遮蔽壁Ｄにスリット60を設けた場合には、液切れが良く、キャップＣを外した状態で誤って容器を倒しても液の漏出を防止できる利点がある。
【００１５】
カバー筒Ｂの下端を容器体下端位置まで垂下し、カバー筒Ｂ下端縁に押し込み用の切欠部42を設けた場合には、不使用時に蛇腹９に負担が掛からず、自重で蛇腹９が縮んでしまうという不都合を防止できる。また切欠部42の存在で使用時の容器体Ａの押し込みも容易に行える利点がある。
【００１６】
容器体Ａの蛇腹９形成位置に穿設した環状窓10に、カバー筒Ｂに穿設した嵌合孔43を介して着脱可能に嵌合させたストッパーＥを設けた場合には、同様に不使用時の蛇腹９に負担が掛からず、自重で蛇腹９が縮んでしまう不都合を防止できる。
【００１７】
上記ストッパーＥを、嵌合孔43を介して環状窓10に嵌合させた嵌合部70と、嵌合部70の両側よりそれぞれ延設して容器体Ａ外面に嵌合させた腕板部71と、嵌合部70の上面或いは下面の外側縁部より突設してカバー筒Ｂ外面に当接係止させた係止板部72とで構成した場合には、各腕板部71を両側から掴んで簡単に取り外すことができる。また、装着に当たって係止板部72の存在で嵌合部70が必要以上に嵌合孔43内に侵入するのを防止できる。
【００１８】
蛇腹９の収縮を防止する係止位置から蛇腹９の収縮が可能な係止解除位置までの可逆的な移動が可能にカバー筒Ｂに嵌合させたストッパーＥを設けた場合には、ストッパーＥが常時カバー筒Ｃに嵌合されているため、紛失する等の不都合がない。
【００１９】
上記ストッパーＥを、カバー筒Ｂに穿設した水平方向に延びるスライド溝44にスライド可能に嵌合させ、且つ、内側下面を蛇腹９部分外方の上向き段部16に当接係止させたロック状態から、スライド溝44をスライドさせた後、上向き段部16に穿設した係止溝17対応位置であるロック開放状態への可逆的な移動が可能に構成した場合には、同様にストッパーの紛失の虞れがなく、また、係止位置から係止解除位置までのルートが単純で円滑な移動が可能となる。
【発明を実施するための最良の形態】
【００２０】
以下、本発明の実施例の形態を図面を参照して説明する。
【００２１】
図１は本発明の塗布容器１の一例を示すもので、塗布容器１は比較的流動性の大きい粘性液体を収容液の好ましい対象としている。塗布容器１は、容器体Ａと、カバー筒Ｂと、キャップＣとを備えている。
【００２２】
容器体Ａは、本体部A1と、底蓋A2とで構成している。本体部A1は、周壁２の上端縁より頂壁を延設した下端開口の有頂筒状をなし、周壁２の外周面は上部に於いて第１段部４及び第２段部５により二段階に縮径されており、また、内周面は上部に於いて下向き段部６を介して上端部を縮径している。第１段部４及び第２段部５間の周壁２外面にはカバー筒Ｂを固定するための突条７を周設している。頂壁３は、周壁２の上端縁より球面状に上方へ突出する如く延設し、中央部に吐出孔８を穿設している。
【００２３】
また、周壁２上部の一部を蛇腹９に形成している。また、蛇腹９の上端縁を連結した周壁端面部分と蛇腹９の下端縁を連結した周壁端面部分より外方へそれぞれ上部突条11及び下部突条12を突設している。各上部突条11及び下部突条12はカバー筒Ｂと容器体Ａとの間に隙間を設ける役割も果たしている。
【００２４】
底蓋A2は、底壁30周縁部より嵌合筒部31を起立して構成しており、嵌合筒部31を本体部A1の周壁２外周下端部に嵌着して本体部A1に装着する如く構成している。尚、底蓋A2を本体部A1に装着固定する前に液を底部から充填できる如く構成している。
【００２５】
本発明では、容器体Ａの本体部A1を射出成形により一体に形成している。この場合、周壁２，蛇腹９，頂壁３を合成樹脂を用いて射出成形により一体に形成しても、或いは、他の柔軟性のある材質で形成した蛇腹９を、別の金型に入れ、その上に再度成形充填して完成品とする如きダブルショット成形或いはインサート成形といわれる射出成形方法を採用することも可能である。
【００２６】
カバー筒Ｂは合成樹脂により形成され、円筒状の周壁部40上端縁より内方へフランジ部41を延設して構成している。第１段部４上においてフランジ部41の先端を第１段部４と突条７とに挟持させて嵌着固定しており、周壁部40を、上部突条11及び下部突条12の突出幅だけ、容器体周壁２と僅かな隙間をあけて垂下させている。周壁部40の下端部は容器体の下端縁と同じ位置或いはそれより若干下方にまで垂下しており、下端縁に容器体Ａを押しし込むための押し込み用の切欠部42を対向位置に一対設けている。
【００２７】
キャップＣは合成樹脂により形成され、第２段部５上方の容器体周壁２外周に嵌合させた装着筒部50の上端縁より球面状に上方へ突出する頂板51を延設し、頂板51裏面より垂設した棒栓52を吐出孔８に液密に嵌合して着脱自在に装着している。
【００２８】
上記の如く構成した塗布容器１を使用する場合に付いて説明する。図１に示す状態から例えばキャップＣを取り外し、次いで容器を傾けて容器体Ａ底部を押し込むと蛇腹９が収縮して収容室Ｒ内が加圧され、それに伴って収容室Ｒ内の液は吐出孔８から外部へ吐出される。容器体底部の押圧を解除すれば蛇腹９の弾性復元力で容器体Ａは元の状態に戻る。塗布した液は頂板51の上面により引き延ばすことができる。
【００２９】
図２は他の例を示すもので、図１の例に於いて、蛇腹９を容器体Ａの周壁２下部に設けた例を示す。容器体Ａは、周壁２上部に第１突条13を、周壁下部に第１突条13と同突出幅で且つ相互に所定幅の間隔をあけて第２突条14及び第３突条15を突周設し、第１突条13の上面を第１段部４として構成している。その他は図１の例と同様であるため、同符号を付して説明を省略する。
【００３０】
図３は更に他の例を示すもので、図１の例に於いて容器体Ａ内上部に遮蔽壁Ｄを設けた例を示す。遮蔽壁Ｄは柔軟で弾力性に富み、シリコーンゴムにより形成されている。また、下向き段部６に周縁部上面を当接固定して張設され、その下方に液体を収容する収容室Ｒを画成している。周縁部の固定方法は突条を遮蔽壁Ｄ下面に係止させる手段を採用している。遮蔽壁Ｄにはスリット60を穿設してこの部分を吐出弁として構成している。スリット60は、放射状に複数穿設されている。尚、スリット60の形状は放射状に限定されるものではなく、遮蔽壁Ｄが上方へ弾性変形することにより開孔する形態であれば種々採用できる。また、遮蔽壁Ｄの材質もシリコーンゴムに限らず、他のエラストマーを採用することができる。その他は図１の例と同様であるため同符号を付して説明を省略する。
【００３１】
図４は更に他の例を示し、図２の例に於いて、容器体Ａ内上部に遮蔽壁Ｄを設けた例を示す。遮蔽壁Ｄの構成は図３と同様であるため、同符号を付して説明を省略する。
【００３２】
図５は更に他の例を示し、図３の例に於いてストッパーＥを設けた例を示す。この場合、カバー筒Ｂの下端は容器体Ａ下端より上方位置にあり、押し込み用の切欠部は設けていない。カバー筒Ｂの垂下位置は蛇腹９の長さ等を考慮して適宜選択すれば良い。また、カバー筒Ｂには、ストッパーＥを嵌合させるための嵌合孔43を穿設している。嵌合孔43は、蛇腹９と同じレベルに同じ縦幅で形成され、その横幅はストッパーＥの後述する嵌合部の横幅と同程度の横幅で、嵌合部が着脱自在に嵌合できる如く構成している。
【００３３】
ストッパーＥは合成樹脂製で、蛇腹９の収縮の防止及び開放を司るロック機構の一役を担うものであり、嵌合孔43を介して上部突条11及び下部突条12間に嵌合する肉厚な円弧板状の嵌合部70を備え、嵌合部70の両側の外側縁部からそれぞれ上部突条11及び下部突条12間と同じ縦幅で、カバー筒Ｂ外周に嵌合する薄肉円弧板状の腕板部71を延設している。また、嵌合部70の上面外側縁部より上方へ嵌合部70の嵌合孔43及び環状窓10内への余分な侵入を防止する係止板部72を立設している。その他の構成は図３の例と同様であるため、同符号を付して説明を省略する。
【００３４】
上記の如く構成した塗布容器１を使用する場合に付いて説明する。図５に示す状態から例えばキャップＣを取り外し、次いでストッパーＥを側方に抜く如く取り外す。この際各腕板部71外面を、例えばそれぞれ親指と人差指で挟んで側方に引けば容易に取り外すことが出来る。次いで容器を傾けて容器体Ａ底部を押し込むと蛇腹９が収縮して収容室Ｒ内が加圧され、それに伴って遮蔽壁Ｄが先端側へ膨らむ如く弾性変形するとともにスリット60が開き、収容室Ｒ内の液は吐出孔８から外部へ吐出される。容器体底部の押圧を解除すれば蛇腹９の弾性復元力で容器体Ａは元の状態に戻り、遮蔽壁Ｄも元の状態に戻りスリット60が閉じる。塗布した液は頂板51の上面により引き延ばすことができる。
【００３５】
図７は図４の例に図５と同様のストッパーＥを設けた例を示す。その他の構成は図４及び図５の例と同様であるため、同符号を付して説明を省略する。
【００３６】
図８及び図９は図５の例に於いて、ストッパーの形態が異なる例である。容器体Ａは、蛇腹９の下端縁を連結した周壁端面部分直下の周壁２部分を肉厚に形成してその上面外縁部に上向き段部16を形成し、上向き段部16の外縁所定位置に上端を開放した係止溝17を縦設している。また、カバー筒Ｂは、上部所定位置に横長なスライド溝44を穿設し、スライド溝44の一端が係止溝17に対応する如く構成している。
【００３７】
ストッパーＥは、水平なスライド溝44の外側に位置する外板73と内側に位置する内板74を、スライド溝44を横方向へスライドする連結板75で連結し、内板74の内面には上向き段部16上面に下面を当接係止する係合突起76を突設している。ストッパーＥは、図９(a) に示す如く、係合突起76を上向き段部16上に当接係止させて蛇腹９が収縮しないロック状態を維持し、また、スライド溝44に沿って回動させた後、図９(b) に示す如く、係合突起76をスライド溝44他端の係止溝17対応位置にスライドさせるとロック状態が解除されて蛇腹９の収縮が可能となる。その他の構成は図７の例と同様であるため、同符号を付して説明を省略する。また、液の吐出作用は図３の例と同様であり、使用後には再びストッパーＥを元の位置に戻しておけば適宜載置位置に塗布容器１を載置しておいても蛇腹９の収縮は起こらない。尚、上記各例ではストッパーＥを一箇所設けた例を示したが、この種のストッパーは対向位置に二箇所設けても良い。その場合にはロック時に於ける蛇腹９の収縮をより安定的に防止できる。
【００３８】
尚、図示しないで説明するが、上記係止溝を横幅をひろく深さの相違する複数の階段状底面を備えた係止溝としたり、或いは、係止溝を深さの異なる複数の係止溝を形成して、蛇腹の収縮幅を異なる収縮幅とし、異なる吐出量を選択できる如く構成することも可能である。その場合には、各深さの位置に対応する目印等を設けるとより好ましい。
【図面の簡単な説明】
【００３９】
【図１】塗布容器の半断面図である。（実施例１）
【図２】塗布容器の半断面図である。（実施例２）
【図３】塗布容器の半断面図である。（実施例３）
【図４】塗布容器の半断面図である。（実施例４）
【図５】塗布容器の半断面図である。（実施例５）
【図６】ストッパー部分での横断面図である。（実施例５）
【図７】塗布容器の半断面図である。（実施例６）
【図８】塗布容器の半断面図である。（実施例７）
【図９】ストッパーの作用を説明する説明図である。（実施例７）
【符号の説明】
【００４０】
１…塗布容器
Ａ…容器体
A1…本体部
２…周壁，３…頂壁，４…第１段部，５…第２段部，６…下向き段部，
７…突条，８…吐出孔，９…蛇腹，11…上部突条，12…下部突条，
13…第１突条，14…第２突条，15…第３突条，16…上向き段部，
17…係止溝，Ｒ…収容室
A2…底蓋
30…底壁，31…嵌合筒部
Ｂ…カバー筒
40…周壁部，41…フランジ部，42…押し込み用の切欠部，43…嵌合孔，
44…スライド溝
Ｃ…キャップ
50…装着筒部，51…頂板，52…棒栓
Ｄ…遮蔽壁
60…スリット
Ｅ…ストッパー
70…嵌合部，71…腕板部，72…係止板部，73…外板，74…内板，75…連結板，
76…係合突起
【図１】
2009132423.tif 000003
【図２】
2009132423.tif 000004
【図３】
2009132423.tif 000005
【図４】
2009132423.tif 000006
【図５】
2009132423.tif 000007
【図６】
2009132423.tif 000008
【図７】
2009132423.tif 000009
【図８】
2009132423.tif 000010
【図９】
2009132423.tif 000011